(57)【要約】  本発明は、マルチプレックスを含む最適化されたコントリビューション信号を生成する方法に関する。各マルチプレックスには、グローバルブロードキャストサービスおよびマルチプレックス自身の、地域サービスの組み合わせが含まれる。各マルチプレックスには、スタッフィングパケットおよび信号表を搬送するパケットが含まれる。最適化されたコントリビューション信号は、  互いに異なるグローバルブロードキャストサービスだけを保持することと、  スタッフィングパケットおよび信号表を搬送するパケットを、それらが属するマルチプレックスに従ってマークすることと、  グローバルブロードキャストサービスと、地域サービスと、マークされたスタッフィングパケットと、信号表を搬送するマークされたパケットと、に対応するデータストリームからデータバーストを構成することと、によって生成される。  本発明の別の主題は、逆多重化方法、最適化されたコントリビューション信号および地域化されたデータブロードキャストシステム、ならびに受信機である。特に、本発明によって、とりわけ衛星リンクを介して、グローバルブロードキャストサービスおよび地域ブロードキャストサービスをデータバーストでブロードキャストするために必要な帯域幅を最適化することが可能になる。【選択図】図２ｂ
2009512298.tif 000002
【特許請求の範囲】
【請求項１】
マルチプレックス（３５）を含む最適化されたコントリビューション信号（３６）を生成する方法であって、各マルチプレックス（３５）が、グローバルブロードキャストサービス（２２）およびマルチプレックス自身の、地域サービス（２３、２４、２５）の組み合わせを含み、各マルチプレックス（３５）が、スタッフィングパケットおよび信号表を搬送するパケット（２６、２７、２８）を含む方法において、前記最適化されたコントリビューション信号（３６）が、
互いに異なる前記グローバルブロードキャストサービス（２２）だけを保持すること（３０）と、
前記スタッフィングパケットおよび前記信号表を搬送する前記パケット（２６、２７、２８）を、それらが属する前記マルチプレックス（３５）に従ってマークすること（３１、３２）と、
前記グローバルブロードキャストサービス（２２）、前記地域サービス（２３、２４、２５）、ならびに前記マークされたスタッフィングパケットおよび前記信号表を搬送する前記マークされたパケット（２６、２７、２８）に対応する前記データストリームからデータバーストを構成すること（３３）と、
によって生成されることを特徴とする方法。
【請求項２】
前記スタッフィングパケットおよび前記信号表を搬送する前記パケット（２６、２７、２８）が、前記スタッフィングパケットおよび前記信号表を搬送する前記パケット（２６、２７、２８）の識別子（Ｐｉｄ）の翻訳を適用することによってマークされること（３１、３２）を特徴とする、請求項１に記載の方法。
【請求項３】
前記最適化されたコントリビューション信号（３６）の前記データバーストが、第１に全ての前記グローバルブロードキャストサービス（２２）のために、次に第２に全ての前記地域サービス（２３、２４、２５）のために構成されること（３３）を特徴とする、請求項１および２のいずれか一項に記載の方法。
【請求項４】
前記最適化されたコントリビューション信号（３６）が、同一の周期およびビットレートを備えた同期データバーストを含むことを特徴とする、請求項１〜３のいずれか一項に記載の方法。
【請求項５】
同期情報が、前記最適化されたコントリビューション信号（３６）に導入されることを特徴とする、請求項１〜４のいずれか一項に記載の方法。
【請求項６】
前記最適化されたコントリビューション信号（３６）が、ＤＶＢ−Ｈ規格に準拠することを特徴とする、請求項１〜５のいずれか一項に記載の方法。
【請求項７】
所与の地理的地域（９）のために、少なくとも１つのマルチプレックス（３５）に関連するデータを含む最適化されたコントリビューション信号（３６）であって、各マルチプレックスが（３５）、グローバルブロードキャストサービス（２２）および地域ブロードキャストサービス（２３、２４および２５）と、自身が属する前記マルチプレックスに従ってマークされたスタッフィングパケットおよび信号表を搬送するパケット（２６、２７、２８）と、を含む最適化されたコントリビューション信号から、信号が、
前記地理的地域（９）を意図した前記サービスだけを保持する（４１）ことと、
前記グローバルブロードキャストサービス（２２）と、
前記地理的地域（９）を意図した前記地域サービス（２３、２４、２５）と、
前記マークされたスタッフィングパケット、および前記地理的地域（９）を意図した前記地域サービス（２３、２４、２５）に対応する前記信号表を搬送する前記マークされたパケット（２６、２７、２８）と、
に対応する、前記最適化されたコントリビューション信号（３６）に含まれる前記データストリームからデータバーストを構成すること（４２）と、
によって構成されることを特徴とする逆多重化方法。
【請求項８】
前記データバースト構成ステップ（４２）中に、前記マークされたスタッフィングパケットおよび前記信号表を搬送する前記マークされたパケット（２６、２７、２８）の識別子（Ｐｉｄ）が、前記地理的地域（９）を意図した前記サービスに対応する前記データストリームを再構成するために翻訳されることを特徴とする、請求項７に記載の方法。
【請求項９】
前記データバースト構成ステップ（４２）で構成された前記信号（３６）のビットレートを平滑化するためのステップ（４３）を含むことを特徴とする、請求項７または８に記載の方法。
【請求項１０】
地域サービス（２３、２４、２５）およびグローバルブロードキャストサービス（２２）をブロードキャストするためのシステムであって、前記システムが、マルチプレックス（３５）を含む最適化されたコントリビューション信号（３６）を生成することができ、各マルチプレックス（３５）が、前記グローバルブロードキャストサービス（２２）およびマルチプレックス自身の、地域サービス（２３、２４、２５）の組み合わせを含み、また各マルチプレックス（３５）が、スタッフィングパケットおよび信号表を搬送するパケット（２６、２７、２８）を含むシステムであって、前記システムが、ある地域サービス（２３、２４、２５）およびグローバルブロードキャストサービス（２２）をデータバーストでブロードキャストすることができ、前記コントリビューション信号が、
互いに異なる前記グローバルブロードキャストサービス（２２）だけを保持すること（３０）と、
前記スタッフィングパケットおよび前記信号表を搬送する前記パケット（２６、２７、２８）を、それらが属する前記マルチプレックス（３５）に従ってマークすること（３１、３２）と、
前記グローバルブロードキャストサービス（２２）、前記地域サービス（２３、２４および２５）、ならびに前記マークされたスタッフィングパケットおよび前記信号表を搬送する前記マークされたパケット（２６、２７、２８）に対応するデータストリームからデータバーストを構成すること（３３）と、
によって生成され、
前記システムが、好ましくは、請求項１〜６のいずれか一項に記載の信号生成方法を実施できることを特徴とするシステム。
【請求項１１】
前記システムが、地理的地域（９）を含むサービスエリア（１０）にわたって前記マルチプレックス（３５）をブロードキャストするように設計され、また各地理的地域（９）が、少なくとも１つのマルチプレックス（３５）を受信し、前記システムが、様々な地理的地域（９）にわたって分配された受信機（１１）を含んで、前記サービスエリア（１０）において送信された前記最適化された信号を受信することができ、各受信機（１１）が、それが位置する前記地理的地域（９）を意図して送信される信号を、前記最適化されたコントリビューション信号（３６）から生成することができ、前記送信される信号が、送信手段（１２）によって、前記送信手段（１２）が位置する前記全地理的地域（９）に送信され、前記送信手段（１２）が、単一周波数ネットワークを形成して同期され、前記受信機（１１）の少なくともいくつかが、好ましくは、請求項７〜９のいずれか一項に記載の逆多重化方法を実施できることを特徴とする、請求項１０に記載のブロードキャストシステム。
【請求項１２】
処理ユニット（６１）、入力部（６０）および出力部（６２）を含む受信機（１１）であって、前記入力部（６０）が、少なくとも１つのマルチプレックス（３５）に関連するデータを含む最適化されたコントリビューション信号（３６）を受信するように設計され、各マルチプレックス（３５）が、グローバルブロードキャストサービス（２２）および地域サービス（２３、２４および２５）を含み、スタッフィングパケットおよび信号表を搬送するパケット（２６、２７、２８）が、それらが属する前記マルチプレックス（３５）によってマークされ、前記処理ユニット（６１）が、
前記地理的地域（９）を意図した前記サービスだけを保持すること（４１）と、
前記グローバルブロードキャストサービス（２２）と、
前記地理的地域（９）を意図した前記地域サービス（２３、２４および２５）と、
前記マークされたスタッフィングパケット、および前記地理的地域（９）を意図した前記地域サービス（２３、２４および２５）に対応する前記信号表を搬送する前記マークされたパケット（２６、２７、２８）と、
に対応する、前記最適化されたコントリビューション信号（３６）に含まれる前記データストリームからデータバーストを構成すること（４２）と、
によって、前記出力部（６２）に送信される信号を構成することができ、
前記受信機（１１）が、好ましくは、請求項７〜９のいずれか一項に記載の逆多重化方法を実施できることを特徴とする受信機（１１）。
【請求項１３】
マルチプレックス（３５）を含む最適化されたコントリビューション信号（３６）であって、各マルチプレックス（３５）が、グローバルブロードキャストサービス（２２）およびマルチプレックス自身の、地域サービス（２３、２４、２５）の組み合わせを含み、各マルチプレックス（３５）が、スタッフィングパケットおよび信号表を搬送するパケット（２６、２７、２８）を含む最適化されたコントリビューション信号（３６）であって、前記最適化されたコントリビューション信号（３６）が、
前記グローバルブロードキャストサービス（２２）が互いに異なり、
前記スタッフィングパケットおよび前記信号表を搬送する前記パケット（２６、２７、２８）が、それらが属する前記マルチプレックス（３５）に従ってマークされ、
前記信号（３６）が、前記グローバルブロードキャストサービス（２２）、前記地域サービス（２３、２４、２５）、ならびに前記マークされたスタッフィングパケットおよび前記信号表を搬送する前記マークされたパケット（２６、２７、２８）に対応する前記データストリームから構成されたデータバーストを含むようにされ、
前記信号が、好ましくは、請求項１〜６のいずれか一項に記載の信号生成方法によって生成されることを特徴とする最適化されたコントリビューション信号（３６）。
【発明の詳細な説明】
【技術分野】
【０００１】
本発明は、コントリビューションを生成および逆多重化する方法に関する。より具体的には、本発明によって、グローバルブロードキャストサービスおよび地域ブロードキャストサービスを、特に衛星リンクを介してデータバーストでブロードキャストするために必要な帯域幅を最適化することが可能になる。本発明は、特に、データバーストによる、サービスの多地域ブロードキャストに適用される。本発明の別の主題は、地域化されたデータブロードキャストシステムである。
【背景技術】
【０００２】
たとえば携帯電話または携帯情報端末などの移動受信機へのサービスのブロードキャストには、特に、コントリビューション信号を生成するステップ、ならびに地域的な地上送信機によってサービスを受信および転送するステップが含まれる。たとえば、コントリビューション信号は、衛星コントリビューションリンクを介して、様々な地域に送られる。しかしながら、衛星上の利用可能な帯域幅は著しく制限され、したがって費用がかかる。
【０００３】
移動受信機へのサービスのブロードキャストは、たとえばＤＶＢ−Ｈ規格によって提案されているように、連続バーストでデータをブロードキャストするための技術を用いることができる。この技術によって、受信機におけるエネルギのかなりの節約が可能になる。コントリビューションリンクで用いられる帯域幅を最適化しながら、移動受信機にサービスをブロードキャストすることが、現在の手段によって可能になる。しかしながら、かかるシステムは、コントリビューションリンクが、いくつかの地理的エリアにわたって分配された、かつバーストによるデータブロードキャストを用いるいくつかの地上ネットワークに、グローバルブロードキャストサービスおよび地域サービスを送出することを管理しない。いくつかの地域にバーストでグローバルおよび地域サービスをブロードキャストするために、各地域に対して、グローバルサービスおよび特定の地域サービスをブロードキャストすることが必要である。また、各地域に対する、地域およびグローバルブロードキャストデータの送信は、グローバルブロードキャスト情報の重複、および最適化が不十分な衛星資源の利用につながる。
【０００４】
いくつかの地域にグローバルおよび地域サービスをデータバーストでブロードキャストすることは、コントリビューション信号を受信したステップの後で、オリジナルストリームを再構成する複雑さに直面する。
【０００５】
さらに、バーストによるサービスのブロードキャストは、通常、単一周波数ネットワークインフラストラクチャを用いて行われる。地域サービスをブロードキャストする地上送信機は、同期されなければならない。そのために、受信機は、同期フレームまたは「メガフレーム初期化パケット」（ＭＩＰ）の形式で、コントリビューションリンクに由来する同期情報を受信する。したがって、いくつかの地域へのバーストによるグローバルおよび地域サービスのブロードキャストは、ＭＩＰフレームを、それらの正確さを変化させずに、受信時に復元しなければならない。各ＭＩＰフレームは、ストリームに規則的に挿入されるが、ストリームと基準クロックとの間の時間基準を送出する。したがって、衛星から様々な地域への転送時間の間のずれおよびジッタは、除去することができる。ＭＩＰフレームを挿入するのに適した機器は、ストリームが送信された瞬間とストリームが受信された瞬間との間に、ビットレートが既知で一定のストリームにＭＩＰフレームを正確に挿入することができる。しかしながら、コントリビューションの文脈では、それらを用いることは不可能である。実際には、コントリビューション信号のビットレートは、所与の地理的地域でブロードキャストされる信号のビットレートと異なる可能性がある。なぜなら、あるサービスは、ある地域には関係しない場合があるからである。ビットレートが、コントリビューションリンクを通じて送信された信号と、送信機によって受信された信号との間で異なるので、ＭＩＰフレームを挿入するのに適した機器によって挿入されたＭＩＰフレームに含まれる値は、正しくない。
【発明の開示】
【課題を解決するための手段】
【０００６】
本発明の主な目的は、上述の欠点を克服することである。この目的のために、本発明の主題は、マルチプレックスを含む最適化されたコントリビューション信号を生成する方法である。各マルチプレックスには、グローバルブロードキャストサービスおよびマルチプレックス自身の、地域サービスの組み合わせと、スタッフィングパケットおよび信号表を搬送するパケットと、が含まれる。最適化されたコントリビューション信号は、
互いに異なるグローバルブロードキャストサービスだけを保持することと、
スタッフィングパケットおよび信号表を搬送するパケットを、それらが属するマルチプレックスに従ってマークすることと、
グローバルブロードキャストサービス、地域サービス、ならびにマークされたスタッフィングパケットおよび信号表を搬送するマークされたパケットに対応するデータストリームからデータバーストを構成することと、
によって生成される。
【０００７】
ある実施形態において、スタッフィングパケットおよび信号表を搬送するパケットは、前記スタッフィングパケットおよび信号表を搬送するパケットの識別子の翻訳を適用することによってマークされる。
【０００８】
最適化されたコントリビューション信号のデータバーストは、第１に全てのグローバルブロードキャストサービスのために、次に第２に全ての地域サービスのために構成することができる。最適化されたコントリビューション信号には、同一の周期およびビットレートを備えた同期データバーストを含むことができる。同期情報は、最適化されたコントリビューション信号に導入することができる。
【０００９】
ある実施形態において、最適化されたコントリビューション信号は、ＤＶＢ−Ｈ規格に準拠する。
【００１０】
本発明の別の主題は、逆多重化方法である。所与の地理的地域のために、少なくとも１つのマルチプレックスに関連するデータを含む最適化されたコントリビューション信号であって、各マルチプレックスが、グローバルおよび地域ブロードキャストサービスと、自身が属するマルチプレックスに従ってマークされたスタッフィングパケットおよび信号表を搬送するパケットと、を含む最適化されたコントリビューション信号から、信号が、
前記地理的地域を意図したサービスだけを保持することと、
グローバルブロードキャストサービスと、
前記地理的地域を意図した地域サービスと、
マークされたスタッフィングパケット、および前記地理的地域を意図した地域サービスに対応する信号表を搬送するマークされたパケットと、
に対応する、最適化されたコントリビューション信号に含まれるデータストリームからデータバーストを構成することと、
によって構成される。
【００１１】
ある実施形態において、データバースト構成ステップ中に、マークされたスタッフィングパケットおよび信号表を搬送するマークされたパケットの識別子が、地理的地域を意図したサービスに対応するデータストリームを再構成するように翻訳される。
【００１２】
本方法にはまた、データバースト構成ステップで構成された信号のビットレートを平滑化するためのステップが含むことができる。
【００１３】
本発明のさらに別の主題は、地域サービスおよびグローバルブロードキャストサービスをブロードキャストするためのシステムである。システムは、マルチプレックスを含む最適化されたコントリビューション信号を生成することができる。各マルチプレックスには、グローバルブロードキャストサービスおよびマルチプレックス自身の、地域サービスの組み合わせが含まれ、また各マルチプレックスには、スタッフィングパケットおよび信号表を搬送するパケットが含まれる。システムは、ある地域サービスおよびグローバルブロードキャストサービスをデータバーストでブロードキャストすることができる。コントリビューション信号は、
互いに異なるグローバルブロードキャストサービスだけを保持することと、
スタッフィングパケットおよび信号表を搬送するパケットを、それらが属するマルチプレックスに従ってマークすることと、
グローバルブロードキャストサービス、地域サービス、ならびにマークされたスタッフィングパケットおよび信号表を搬送するマークされたパケットに対応するデータストリームからデータバーストを構成することと、
によって生成されるが、
前記システムは、発明的な信号生成方法に準拠する信号生成方法を実施できるのが好ましい。
【００１４】
ある実施形態において、前記システムは、地理的地域を含むサービスエリアにわたってマルチプレックスをブロードキャストするように設計される。各地理的地域は、少なくとも１つのマルチプレックスを受信する。システムには、様々な地理的地域にわたって分配された、かつサービスエリアにおいて送信される前記最適化された信号を受信できる受信機が含まれる。各受信機は、それが位置する地理的地域を意図して送信される信号を、最適化されたコントリビューションから生成することができる。送信される信号は、送信手段によって、その送信手段が位置する地理的地域の全体に送信される。送信手段は、単一周波数ネットワークを形成し、かつ同期される。前記受信機の少なくともいくつかは、発明的な信号逆多重化方法に準拠する信号逆多重化方法を実施できるのが好ましい。
【００１５】
本発明の別の主題は、処理ユニット、入力部および出力部を含む受信機である。入力部は、少なくとも１つのマルチプレックスに関連するデータを含む最適化されたコントリビューション信号を受信するように設計される。各マルチプレックスには、グローバルおよび地域ブロードキャストサービスと、自身が属するマルチプレックスに従ってマークされたスタッフィングパケットおよび信号表を搬送するパケットとが含まれる。処理ユニットは、
前記地理的地域を意図したサービスだけを保持することと、
グローバルブロードキャストサービスと、
前記地理的地域を意図した地域サービスと、
マークされたスタッフィングパケット、および前記地理的地域を意図した地域サービスに対応する信号表を搬送するマークされたパケットと、
に対応する、最適化されたコントリビューション信号に含まれるデータストリームからデータバーストを構成することと、
によって、出力部に送信される信号を構成することができる。
【００１６】
前記受信機は、発明的な信号逆多重化方法に準拠する信号逆多重化方法を実施できるのが好ましい。
【００１７】
本発明の別の主題は、マルチプレックスを含む最適化されたコントリビューション信号である。各マルチプレックスには、グローバルブロードキャストサービスおよびマルチプレックス自身の、地域サービスの組み合わせが含まれる。各マルチプレックスには、スタッフィングパケットおよび信号表を搬送するパケットが含まれる。最適化されたコントリビューション信号は、
グローバルブロードキャストサービスが互いに異なり、
スタッフィングパケットおよび信号表を搬送するパケットが、それらが属するマルチプレックスに従ってマークされ、
前記信号が、グローバルブロードキャストサービス、地域サービス、ならびにマークされたスタッフィングパケットおよび信号表を搬送するマークされたパケットに対応するデータストリームから構成されたデータバーストを含むようにされる。
【００１８】
前記信号は、発明的な信号生成方法に準拠する信号生成方法によって生成されるのが好ましい。
【００１９】
本発明の他の特徴および利点は、添付の図面に照らして提示された次の説明から明らかになるであろう。
【発明を実施するための最良の形態】
【００２０】
図１は、発明的で地域化されたデータブロードキャストシステムのアーキテクチャを表わす。本発明による地域化されたデータブロードキャストシステムには、機能の一つが、コントリビューション信号を生成することである部分が含まれる。コンテンツソース１が、データストリームを生成する。コンテンツソース１は、たとえば、ファイルサーバ、制御室、ドライブ、またはコンテンツを送出する任意の他の機器とすることができる。生成されるデータストリームは、たとえば、ＩＰデータストリームとすることができる。様々なデータストリームには、様々なサービスまたはプログラムが含まれる。データストリームに含まれるサービスの中には、ある地理的地域９でのみブロードキャストしなければならない地域サービス３、およびたとえば全国サービスなどのグローバルブロードキャストサービス２がある。カプセル化装置４が、地域サービス３およびグローバルブロードキャストサービス２に対応するデータストリームを受信する。カプセル化装置４は、データストリーム、たとえばＩＰデータストリームを受信し、様々な地理的地域９のそれぞれを意図した信号を構成する。所与の地理的地域９のためにカプセル化装置４によって構成された信号は、その地理的地域９に特有の地域サービス３およびグローバルブロードキャストサービス２に対応する全てのデータストリームを含む、マルチプレックスともまた呼ばれる多重化信号である。
【００２１】
カプセル化装置４は、特に、全ての地域サービス３、およびグローバルブロードキャストサービス２のための連続データバーストを作成する責任を負うことができる。バーストで送信されるデータストリームには、アプリオリに知られている期間の交互のデータストリーム送信段階およびサイレンス段階が含まれる。データの不連続な送信によって、バーストで送信されたデータストリームを受信する機器は、サイレンスの時間に自身をスタンバイに切り替え、次のデータストリームの受信開始の少し前に受信を再開することが可能になるが、これは、次のパケットの送信時間を知ることによって可能になる機構である。ＤＶＢ−Ｈ規格は、受信機のエネルギ源における節約の目的で、かかる動作モードを説明している。
【００２２】
カプセル化装置４は、ＤＶＢ−Ｈ規格の要件に準拠することができる。次に、様々な地理的地域９のそれぞれを意図した信号には、データバーストでブロードキャストされるサービスが含まれる。連続バーストでブロードキャストされるサービスおよび多重化ブロードキャストサービスの両方を含む多重化信号を、カプセル化装置４の出力部で得ることがまた可能である。カプセル化装置４は、必要な帯域幅を最適化するために、ブロードキャストに先立って様々な多重化信号を再編する機能を有することさえできる。
【００２３】
ある実施形態において、カプセル化装置４は、受信機器用の同期情報を含むフレームを、様々な信号へ挿入することさえできる。たとえば、カプセル化装置４はＭＩＰフレームを挿入することができる。ＭＩＰフレームには、送信手段１２間の同期を達成するために必要な情報が含まれる。ＭＩＰ挿入装置と呼ばれる機器は、ＭＩＰフレームをストリームに正確に挿入することができる。しかしながら、かかる機器をコントリビューションの文脈で用いることは不可能である。この理由で、ＭＩＰフレームの生成は、コントリビューション信号の構成前に、様々な地理的地域９を意図したデータストリームの構成レベルで実行することができる。この実行が可能なのは、カプセル化装置４自体を、ＧＰＳタイプの外部クロックで同期させることができるからである。本発明による地域化されたデータブロードキャストシステムが、各地理的地域９において受信されるデータストリームの完全性を保証するので、ＭＩＰフレームはやはり有効である。
【００２４】
次に、カプセル化装置４から得られた多重化信号は、信号を送信チャネルの制約に適合させる責任を負う変調器５に送信される。変調器５は、たとえば、受信信号を変調し、その後、それらを、衛星システム８へブロードキャストするためにアンテナ６に送信することができる。衛星システム８には、１つまたは複数の衛星が含まれる。アンテナ６を介して衛星システム８に送信される信号は、コントリビューション信号７と呼ばれる。コントリビューション信号７のために利用可能な帯域幅は、特に高価で制限されている。本発明の注目すべき目的は、コントリビューション信号７のために必要な帯域幅要求を低減することである。
【００２５】
衛星システム８は、サービスエリア１０にわたってコントリビューション信号７をブロードキャストする。サービスエリア１０には、特に、いくつかの地理的地域９が含まれる。各地理的地域９には、送信手段１２に結合された少なくとも１つの受信機１１がある。各受信機１１は、衛星システム８から信号を受信し、必要に応じて、その信号を復調する。この信号は、受信サイトの地理的地域９とは無関係に、サービスエリア１０において全ての受信機１１に対して同一である。受信機１１は、それが位置している地理的地域９を意図したサービスを抽出する。したがって、そのとき、抽出されるサービスは、グローバルブロードキャストサービス２、および受信機１１の地理的地域９を意図した地域サービス３だけである。抽出されるサービスは、バーストでブロードキャストされるサービス、多重化ブロードキャストのためのサービス、または２つのタイプのサービスの任意の組み合わせのいずれかとすることができる。最後に、抽出されたサービスに対応するデータストリームは、ＤＶＢ−Ｈ規格に準拠することができる。受信機１１は、抽出したサービスを送信手段１２に送信する。送信手段１２の機能は、抽出されたサービスを、それらの地理的地域９の全てにブロードキャストすることである。送信手段１２は、特に、地理的地域９の全てにわたって分配されるマイクロ波送信機とすることができる。送信手段１２は、単一周波数ネットワークを形成することができる。次に、サービスエリア１０の送信手段１２は、相互干渉を排除するために、同期させなければならない。そうするために、送信手段１２は、たとえば、カプセル化装置４によって生成されたＭＩＰフレームによって同期される。ＭＩＰフレームには、送信手段１２間の同期を達成するために必要な情報が含まれる。
【００２６】
図１は、衛星システム８によってブロードキャストされるコントリビューション信号７を実現する、本発明による地域化されたデータブロードキャストシステムのアーキテクチャを示す。しかしながら、最適化しなければならない帯域幅を備えた任意の他のブロードキャスト手段を用いてこの機能を遂行することができる。
【００２７】
図２ａは、最適化されたコントリビューション信号を生成する発明的方法によって実施されるステップを示す。図２ｂは、コントリビューションを多重化する発明的方法の実施の前後の様々なデータストリームを示す。他の図に既に存在する要素と同一の要素は、同じ参照符号を与えられる。発明的方法は、特に、発明的で地域化されたデータブロードキャストシステムであって、機能の１つが、最適化されたコントリビューション信号を生成することであるシステムにおける部分で、実施することができる。
【００２８】
最適化されたコントリビューション信号を生成する発明的方法は、入力として、少なくとも１つのグローバルブロードキャストサービス２、および地域サービス３を受信する。用語「マルチプレックス」３５は、以後、全てのグローバルブロードキャストサービス２および所与の地理的地域９を意図した地域サービス３を含む信号を示すために用いられる。発明的方法は、各地理的地域９のためにマルチプレックス３５を受信する。発明的方法は、出力として、最適化されたコントリビューション信号３６を送出する。図２ｂは、発明的方法が、入力として、３つのマルチプレックス３５を受信し、かつ出力として、最適化されたコントリビューション信号３５を送出する場合を示す。図２ｂでは、データストリーム図には、時間を表わすｘ軸２１、およびデータストリームのビットレートを表わすｙ軸２０が含まれる。コントリビューションを多重化する発明的方法の主な目的は、様々な地域９の地域サービスをブロードキャストするために必要な帯域幅を低減し、かつ各受信機１１が、それを意図した地域サービス３を検索できる元となる最適化されたコントリビューション信号３６を送出することである。さて、ＤＶＢ−Ｈ規格を満たすサービスのブロードキャストに特にリンクされた制約によって、信号における情報ビットの最小の挿入も削除も許容しないサービスの送信機と受信機との間で遵守される同期が必要とされる。
【００２９】
発明的方法のステップ３０において、重複したグローバルブロードキャストサービス２が除去される。各グローバルブロードキャストサービス２については、単一のデータストリームだけが保持される。実際には、当然のことながら、グローバルブロードキャストサービス２は、各マルチプレックス３５に存在する。グローバルブロードキャストサービス２における重複を除去するステップ３０によって、互いに異なるグローバルブロードキャストサービス２だけを、最適化されたコントリビューション信号３６に保持することが可能になる。したがって、図２ｂでは、３つのマルチプレックス３５がある。すなわち、
バーストでブロードキャストされるグローバルブロードキャストサービス２２および地域サービス２３を含む第１のマルチプレックス３５と、
バーストでブロードキャストされるグローバルブロードキャストサービス２２および地域サービス２４を含む第２のマルチプレックス３５と、
バーストでブロードキャストされるグローバルブロードキャストサービス２２および地域サービス２５を含む第３のマルチプレックス３５と、
である。
【００３０】
発明的方法の最後に、および特にステップ３０の出力において、最適化されたコントリビューション信号３６には、グローバルブロードキャストサービス２２に対応するただ１つのデータストリームだけが含まれる。
【００３１】
一定のビットレートを保持するために、サービスをサポートするデータストリームには、スタッフィングパケットが含まれる。これらのスタッフィングパケットによって、既知のビットレートでストリームを送信することが可能になり、受信機１１は、自身の調子を合わせることができるようになる。これらのスタッフィングパケットは、所与のマルチプレックス３５に特有である。さらに、サービスをサポートするデータストリームには、各マルチプレックス３５に特有の信号表が含まれる。したがって、図２ｂに示すように、
第１のマルチプレックス３５には、スタッフィングパケットおよび信号表を搬送するパケット２６が含まれ、
第２のマルチプレックス３５には、スタッフィングパケットおよび信号表を搬送するパケット２７が含まれ、
第３のマルチプレックス３５には、スタッフィングパケットおよび信号表を搬送するパケット２８が含まれる。
【００３２】
グローバルブロードキャストサービス２２をサポートするデータストリームにもまた、信号表を搬送するパケット２９が含まれる。
【００３３】
図２ｂは、スタッフィングパケットのビットレートが一定の場合を示す。しかしながら、ビットレートは、経時的に可変で、あるマルチプレックス３５から別のマルチプレックス３５へと異なる可能性がある。
【００３４】
スタッフィングパケットをマークするステップ３１において、スタッフィングパケット２６、２７、２８が、それらが属するマルチプレックス３５に従ってマークされる。この動作の機能は、スタッフィングパケット２６、２７、２８を所与のマルチプレックス３５と関連付けることである。この動作は、たとえば、スタッフィングパケット２６、２７、２８の識別子Ｐｉｄの翻訳を適用することによって実行することができる。
【００３５】
信号表を搬送するパケットをマークするステップ３２において、信号表を搬送するパケット２６、２７、２８が、それらが属するマルチプレックス３５に従ってマークされる。この動作の機能は、信号表を搬送するパケット２６、２７、２８を所与のマルチプレックス３５と関連付けることである。この動作は、たとえば、信号表を搬送するパケット２６、２７、２８の識別子Ｐｉｄの翻訳を適用することによって実行することができる。
【００３６】
最適化されたコントリビューション信号を生成するステップ３３において、データストリームが、特に、ステップ３０、３１および３２で生成されたデータストリームから構成される。このデータストリームには、特に、グローバルブロードキャストサービス２２と、地域サービス２３、２４および２５に対応するデータバーストと、マークされたスタッフィングパケットと、信号表を搬送するマークされたパケット２６、２７、２８と、に対応するデータストリームが含まれる。残りの帯域幅は、特に地域サービス２３、２４、２５が同一のビットレートを有しない場合には、スタッフィングパケット３０で満たすことができる。最適化されたコントリビューション信号３６の生成３３は、サービスが地域３かまたはグローバルブロードキャスト２用かどうかに従って、サービスを束ねる。したがって、各バーストについて、グローバルブロードキャストサービス２２は、地域サービス２３、２４および２５の前に送信される。さらに、最適化されたコントリビューション信号３６には、同一の周期およびビットレートを備えた同期データバーストが含まれる。また、地域サービス２３、２４および２５に対応するデータバーストの周期およびビットレートは、同一である。さらに、地域サービス２３、２４および２５に対応するデータバーストは、同期している。それらは、同じ瞬間に送信される。さらに、各マルチプレックス３５の生成ビットレートは、地上ネットワークを通じた、送信手段１２による送信のビットレートに対応しなければならない。
【００３７】
ある実施形態において、最適化されたコントリビューション信号の生成のためのステップ３３中に、同期情報が、最適化されたコントリビューション信号３６に挿入される。この同期情報は、たとえば、ＭＩＰフレームの形式を取ることができる。ＭＩＰフレームには、特に送信手段１２間の同期を達成するために必要な情報が含まれる。
【００３８】
図３ａは、発明的方法によって実施される、コントリビューションを逆多重化するステップを示す。他の図に既に存在する要素と同一の要素は、同じ参照符号を与えられる。
【００３９】
受信機１１の１つの役割は、受信機１１の地理的地域９を意図したオリジナルのマルチプレックス３５を、最適化されたコントリビューション信号３６から抽出することである。本発明による、コントリビューションを逆多重化する方法は、特に、発明的コントリビューション多重化方法によって生成された、最適化されたコントリビューション信号３６を受信する各受信機１１において実施することができる。
【００４０】
第１のステップ４０において、発明的コントリビューション逆多重化方法は、最適化されたコントリビューション信号３６を受信する。最適化されたコントリビューション信号３６には、全ての地域サービス２３、２４、２５、およびグローバルブロードキャストサービス２２が含まれる。
【００４１】
ステップ４１において、最適化されたコントリビューション信号３６は、所与の地理的地域９を意図したサービスだけを保持するために、フィルタリングされる。受信機１１が属する地理的地域９を意図していないパケットは、除去される。マークされていないスタッフィングパケットもまた除去される。
【００４２】
ステップ４２において、マルチプレックス３５は、再生成される。そのために、所与の地理的地域９を意図したサービスに対応するデータストリームを再構成するだけでなく、所与のマルチプレックス３５に特有のスタッフィングパケットおよび信号表を搬送するパケットもまた再構成することが必要である。そのために、たとえば、本発明による、コントリビューションを多重化する方法のステップ３１および３２と反対の方法で、スタッフィングパケットおよび信号表を搬送するパケット２６、２７、２８の識別子Ｐｉｄを、これらのパケットが属するマルチプレックス３５に従って翻訳することが可能である。
【００４３】
図３ｂは、コントリビューションを逆多重化する発明的方法における、マルチプレックスを生成するステップ４２の出力で得られる信号を示す。他の図に既に存在する要素と同一の要素は、同じ参照符号を与えられる。図３ｂにおいて、データストリーム図には、時間を表わすｘ軸２１およびデータストリームのビットレートを表わすｙ軸２０が含まれる。信号には、
グローバルブロードキャストサービス２２、および信号表を搬送する対応するパケット２９と、
地域サービス２５、ならびにスタッフィングパケットおよび信号表を搬送するパケット２８と、
が含まれる。
【００４４】
グローバルブロードキャストサービス２２のビットレートは、一般に、地域サービス２５のビットレートより大きい。
【００４５】
さて、グローバルブロードキャストサービス２が受信されるビットレートは、一般に、送信手段１２のビットレートより大きい。ステップ４２において、送信される信号４６のビットレートは、平滑化される。
【００４６】
図３ｃは、コントリビューションを逆多重化する発明的方法における、ビットレートを平滑化するステップ４３の出力で得られる信号４６を示す。他の図に既に存在する要素と同一の要素は、同じ参照符号を与えられる。図３ｂにおいて、データストリーム図には、時間を表わすｘ軸２１およびデータストリームのビットレートを表わすｙ軸２０が含まれる。信号には、
グローバルブロードキャストサービス２２、および信号表を搬送する対応するパケット２９と、
地域サービス２５、ならびにスタッフィングパケットおよび信号表を搬送するパケット２８と、
が含まれる。
【００４７】
コントリビューションを逆多重化する発明的方法におけるマルチプレックス生成ステップ４２の出力の信号と異なり、ビットレートは、送信されるサービスタイプ（地域３またはグローバルブロードキャスト２）にかかわらず、経時的におおむね一定である。
【００４８】
ビットレート平滑化動作４３は、変動するパケットビットレートを取り込んで平滑化するためのデータバッファを介して、実行することができる。
【００４９】
次に、ステップ４４において、コントリビューションを逆多重化する発明的方法のビットレート平滑化ステップ４３の出力で得られる信号４６は、ローカルで、すなわち送信手段１２の地理的エリア９で再送信される。
【００５０】
ある実施形態において、マルチプレックス３５を受信および再生成する発明的方法のステップ４１、４２、４３は、たとえば送信手段１２が用いるＤＶＢ−Ｈ変調器によって実施される。次に、受信機１１は、純粋な衛星受信のほかには、非常に簡単なタスクを実行するだけであり、メモリ要求がほとんどないことが観察され得る。したがって、ＤＶＢ−Ｈ変調器におけるこれらの機能を統合することによって、受信機１１を単純化する方法が提供される。
【００５１】
図４は、発明的な受信機１１の一実施形態を示すブロック図である。他の図で既に示した要素と同一の要素は、同じ参照符号を与えられる。受信機１１には、特に、処理ユニット６１が含まれる。処理ユニット６１は、１つまたは複数のマイクロプロセッサ、プログラマブルロジックコンポーネント、または特にデジタル計算に適した任意の他のデバイスを含む電子カードとすることができる。
【００５２】
受信機１１は、少なくとも１つのマルチプレックス３５に関連するデータを含む最適化されたコントリビューション信号３６を、入力部６０で受信する。各マルチプレックスには、グローバルブロードキャストサービス２２および地域ブロードキャストサービス２３、２４および２５と、自身が属するマルチプレックスに従ってマークされたスタッフィングパケットおよび信号表を搬送するパケット２６、２７、２８と、が含まれる。受信機１１の処理ユニット６１は、コントリビューションを逆多重化する発明的方法のステップ（特に図３ａで示す）を実施することによって、出力部６２に送信される信号を構成する。出力部６２は、特に、送信手段１２に接続することができる。
【図面の簡単な説明】
【００５３】
【図１】発明的で地域化されたデータブロードキャストシステムのアーキテクチャである。
【図２ａ】最適化されたコントリビューション信号を生成する発明的方法によって実施されるステップである。
【図２ｂ】コントリビューションを多重化する発明的方法の実施の前後における様々なデータストリームである。
【図３ａ】コントリビューションを逆多重化する発明的方法によって実施されるステップである。
【図３ｂ】コントリビューションを逆多重化する発明的方法のマルチプレックス生成ステップの出力で得られる信号である。
【図３ｃ】コントリビューションを逆多重化する発明的方法のビットレート平滑化ステップの出力で得られる信号である。
【図４】ブロック図による、発明的な受信機の実施形態である。
【図１】
2009512298.tif 000003
【図２ａ】
2009512298.tif 000004
【図２ｂ】
2009512298.tif 000005
【図３ａ】
2009512298.tif 000006
【図３ｂ】
2009512298.tif 000007
【図３ｃ】
2009512298.tif 000008
【図４】
2009512298.tif 000009
【国際調査報告】
2009512298.tif 000010
2009512298.tif 000011
2009512298.tif 000012
2009512298.tif 000013
2009512298.tif 000014
2009512298.tif 000015
2009512298.tif 000016
2009512298.tif 000017
2009512298.tif 000018
2009512298.tif 000019